(57)【特許請求の範囲】
【請求項１】
水栓本体を覆うケースを備えた吐水口付きの水栓を壁面等縦向きの取付面に取り付けるための水栓取付構造であって
バックプレートを、前記取付面に固定し、前記水栓本体を内部に収容する状態で前記ケースをシール手段によるシールの下に該バックプレートに脱着可能に組み付けるようになし、且つ該シール手段は、前記バックプレートの上辺及び左右両側辺に沿って連続的に形成された嵌合突条又は嵌合溝と、前記ケースの後側の上辺及び左右両側辺に沿って連続的に形成され、該嵌合突条又は嵌合溝に対して嵌合する嵌合溝又は嵌合突条とから成っていることを特徴とする水栓取付構造。
【請求項２】
請求項１において、前記バックプレート側の嵌合突条又は嵌合溝は、前記取付面と実質上平行且つ外向き方向に拡がる形態で形成されており、更に前記ケース側の対応する嵌合溝又は嵌合突条は、該バックプレート側の嵌合突条又は嵌合溝に対応した内向き形態で形成されていることを特徴とする水栓取付構造。
【請求項３】
請求項２において、前記嵌合突条の上下方向所定部位に、前記ケースを最終組付位置よりも一定距離浮き上がった位置に仮支持するための係止突起が設けられる一方、該ケースにおける前記嵌合溝には、最終組付位置において該係止突起を係入させ、該係止突起と協働して該ケースを抜止めする係止凹部が設けられていることを特徴とする水栓取付構造。
【発明の詳細な説明】
【０００１】
【発明の属する技術分野】
この発明は水栓取付構造に関し、詳しくは水栓本体を覆うカバーを備えた吐水口付きの水栓を壁面等の縦向きの取付面に取り付けるための取付構造に関する。
【０００２】
【従来の技術及び発明が解決しようとする課題】
従来、水栓本体を覆うケースを備えた吐水口付きの水栓において、これを縦向きの取付面、代表的には壁面に取り付けるに際して、水栓本体を内部に収容した状態でケースを壁面に当接させ、水栓本体若しくはケースを壁面に固定手段で固定するといったことが行われていた。
【０００３】
而して従来にあっては、ケースと壁面との間に特別のシールを施さないか、又はケースの外周部に沿ってケースと壁面との間にコーキングを施し、両者の間を水密にシールすることが行われている。
【０００４】
しかしながら前者の場合には、例えば水栓を浴室内に設置した場合において、吐水口からの跳ね水や浴室内の水分が壁面を伝ってケース内部に浸入してしまい、これによりケース内部に水垢等が溜って、その汚れた水がやがてケース内部からケース外部に流出し、水栓周りの壁面や床面，カウンター面等を汚してしまうといった問題が生ずる。
【０００５】
一方後者の場合には、上記のような問題は特に生じないものの、水栓の設置に際してコーキングを打つ作業が必要で、しかもこのコーキング作業は作業性の悪い面倒な作業であり、加えてこのようにコーキングを施した場合には水栓周りの美観が損なわれるとともに、メンテナンスに際してケースを取り外すときに一旦コーキングを除去することが必要となる上に、ケースを再び壁面に取り付ける際に改めてコーキングを打ち直すことが必要であり、メンテナンス作業が面倒で手間がかかるといった問題を生ずる。
【０００６】
【課題を解決するための手段】
本願の水栓取付構造はこのような課題を解決するために案出されたものである。
而して請求項１の水栓取付構造は、水栓本体を覆うケースを備えた吐水口付きの水栓を壁面等縦向きの取付面に取り付けるための水栓取付構造であって、バックプレートを、前記取付面に固定し、前記水栓本体を内部に収容する状態で前記ケースをシール手段によるシールの下に該バックプレートに脱着可能に組み付けるようになし、且つ該シール手段は、前記バックプレートの上辺及び左右両側辺に沿って連続的に形成された嵌合突条又は嵌合溝と、前記ケースの後側の上辺及び左右両側辺に沿って連続的に形成され、該嵌合突条又は嵌合溝に対して嵌合する嵌合溝又は嵌合突条とから成っていることを特徴とする。
【０００７】
請求項２の水栓取付構造は、請求項１において、前記バックプレート側の嵌合突条又は嵌合溝は、前記取付面と実質上平行且つ外向き方向に拡がる形態で形成されており、更に前記ケース側の対応する嵌合溝又は嵌合突条は、該バックプレート側の嵌合突条又は嵌合溝に対応した内向き形態で形成されていることを特徴とする。
【０００８】
請求項３の水栓取付構造は、請求項２において、前記嵌合突条の上下方向所定部位に、前記ケースを最終組付位置よりも一定距離浮き上がった位置に仮支持するための係止突起が設けられる一方、該ケースにおける前記嵌合溝には、最終組付位置において該係止突起を係入させ、該係止突起と協働して該ケースを抜止めする係止凹部が設けられていることを特徴とする。
【０００９】
【作用及び発明の効果】
上記のように請求項１の水栓取付構造は、バックプレートを壁面等縦の取付面に固定した上、そのバックプレートに対して、水栓本体を覆うケースを脱着可能に組み付けるようになしたもので、この水栓取付構造の場合、ケースがバックプレートを介して壁面等の取付面に固定されるため、吐水口からの跳ね水等壁面を伝って流下した水がケース内部に浸入するのが良好に防止される。
【００１０】
従ってケース内部への水の浸入によってケース内部に水垢等の汚れが溜ったり、その汚れがやがてケース外部に滲み出して水栓周りの美観を損ねるなどの問題を解決することができる。
尚、この請求項１の水栓取付構造において、上記バックプレートとケースとの間も水密にシールされているため、それらバックプレートとケースとの間の隙間からの水の浸入も有効に防止できる。
【００１１】
またこの請求項１の水栓取付構造によれば、ケースと取付面との間を水密にシールするためのコーキングを施す必要がないので、ケースの脱着を伴う水栓のメンテナンス作業を簡単に行うことができるし、またそのコーキングに起因する水栓取付部周りの美観の低下を回避することができる。
【００１２】
更にこの水栓取付構造によれば、バックプレートを共通部品として異なる種類の水栓本体及びカバーを壁面等取付面に取り付けることができ、水栓を種々選択できる利点が得られる。
【００１３】
本発明においては上記バックプレートの背面の外周部に沿って予めパッキンを取り付けておき、バックプレートを取付面に固定する際、そのパッキンを取付面に接触させる状態で固定手段にて固定するようになすのが望ましい。
このようにすればバックプレートと取付面との間の隙間をバックプレート背面に取り付けてあるパッキンにて水密にシールでき、ケース内への水の浸入を更に確実に防止することができる。
【００１４】
本発明では、上記バックプレートとケースとの間のシール手段がバックプレートの上辺及び左右両側辺に沿って連続的に形成した嵌合突条若しくは嵌合溝と、対応するケースの後側の上辺及び左右両側辺に沿って連続的に形成した嵌合溝若しくは嵌合突条とで構成されている。
【００１５】
この水栓取付構造によればシール手段を簡単に構成することができるとともに、バックプレートとケースとをそれら嵌合突条，嵌合溝において嵌合させるだけでバックプレートとケースとの間を同時に簡単に水密にシール状態となすことができる。
【００１６】
本発明において、上記バックプレート側の嵌合突条又は嵌合溝を、壁面等取付面と実質上平行且つ外向き方向に拡がる形態で形成し、またケース側の対応する嵌合溝又は嵌合突条を、そのバックプレート側の嵌合突条又は嵌合溝に対応した内向き形態で形成することができる（請求項２）。
【００１７】
このようにした場合、ケースをバックプレートに対して相対的に上側から下向きにスライド移動させることで、それらバックプレートとケースとに形成した嵌合突条と嵌合溝とを嵌合状態とすることができ、かかるケースをバックプレートを介して簡単に取付面に取り付けることができるとともに、バックプレートとケースとの間を同時に水密にシール状態となすことができる。
【００１８】
或いはまた、ケースを取り外す際にこれを上方にスライド移動させるだけで、簡単にケースをバックプレートから分離することができる。
従ってこの取付構造によれば、ケースの脱着を伴う水栓のメンテナンス作業を極めて簡単に行うことができる。
【００１９】
請求項３の水栓取付構造は、嵌合突条の上下方向所定部位に、ケースを最終組付位置よりも一定距離浮き上がった位置に仮支持する係止突起を設ける一方、嵌合溝の側には、最終組付位置において係止突起を係入させ、これと協働してケースを上方に抜止めする係止凹部を設けたもので、この水栓取付構造によれば、水栓を床面やカウンター面等水平な面上に載置状態で据え付ける場合に、ケース内部において水栓本体から延び出した給水用又は給湯用の供給管の下端部を、その水平な面上に露出する状態で設けてある給水用又は給湯用の配管端部に対して接続する作業を簡単に行うことができる。
【００２０】
ケースを最終組付位置、即ち床面やカウンター面等水平な面上に直接載置した状態としてしまうと、その内部の供給管の下端部を給水管，給湯管の端部に対して接続する作業を行えなくなってしまうが、この請求項４の取付構造の場合、係止突起の仮支持作用によってケースを床面等から一定距離浮き上がった位置に仮支持した状態とすることができるため、その状態においてケース内部の供給管の下端部を給水管，給湯管等の配管端部に容易に接続することができる。
而してその状態でケースを最終組付位置まで下降させることで、水栓を最終の取付状態となすことができる。
【００２１】
【実施例】
次に本発明の実施例を図面に基づいて詳しく説明する。
図１において、１０は水栓本体を覆うカバーを備えた吐水口付きの水栓で、１２はその水栓本体、１４は水栓本体１２を覆う形態のケースである。
ここで水栓本体１２は吐水・止水機能部１６と、その上側の湯，水の混合機能部１８とを備えている。
【００２２】
而してこの水栓本体１２、詳しくは吐水・止水機能部１６からは、水栓本体１２に対して水と湯とを供給するためのフレキシブル管から成る一対の供給管２０が下向きに延び出しており、その下端部が、図３に示しているように水栓据置面としての床面（又はカウンター面）２１上に突出状態で予め設けてある給水用，給湯用の配管端部２２に接続されるようになっている。
【００２３】
ここで供給管２０と配管端部２２との接続はクイックジョイント方式の接続構造とされている。図３はその接続構造を具体的に示したものである。
同図に示しているように供給管２０には、フランジ２４と嵌入部２６とが形成されていてその嵌入部２６の外周面上にシール部材としてのＯリング２８が装着される一方、配管端部２２の側にはフランジ２４とこれに続く環状溝３０が形成され、供給管２０の嵌入部２６が配管端部２２の内部に嵌入されて一対のフランジ２４が重ね合わされ、その状態でそれら供給管２０と配管端部２２とが弾性クリップ３２によって連結されるようになっている。
【００２４】
弾性クリップ３２は金属板ばね材を略リング状に曲げ形成したもので、リング状部３４と嵌込開口３６と、その嵌込開口３６に続いてハの字状に開いた形態のガイド部３８と、幅方向中間部に形成された係入溝４０とを備えている。
【００２５】
この図３に示す接続方式の場合、嵌込開口３６を通じて弾性クリップ３２を供給管２０と配管端部２２とにまたがるように弾性的に嵌め合わせ、そして互いに重ね合せ状態にある一対のフランジ２４を弾性クリップ３２の係入溝４０内部に係入させることで、供給管２０と配管端部２２とを連結する。
【００２６】
本例の水栓１０は、図１に示しているようにケース１４の前部において下向きの吐水口４２を備えている。
尚、４４は水栓の操作部である。
【００２７】
図１において、４６はバックプレートであって背面の外周部に沿って、詳しくは上辺部と左右両側辺部に沿って、予め所定形状に成形され且つ形状保持能力を有するゴムパッキン等の弾性パッキン４８が取り付けられている。
バックプレート４６は、この弾性パッキン４８を縦向きの取付面、本例では壁面４９（図２参照）に対して当接させる状態で、固定穴５０において固定手段としてのビス５２により壁面４９に固定されるようになっている。
【００２８】
バックプレート４６は、壁面４９から離れる方向に起立する起立壁５４が上辺部及び左右両側辺部に沿って形成されており、更にその先端部において外向きに拡がる形態の鍔状の嵌合突条５６が上辺及び左右両側辺に沿って連続的に形成されている。
尚、バックプレート４６はその下端が上記床面２１にほぼ接する状態で壁面４９に固定される。
【００２９】
上記嵌合突条５６には、上下方向中間部位において左右両側方に突出する係止突起５８が一体に形成されている。この係止突起５８は、後に詳述するようにケース１４を床面２１から一定距離浮き上がった位置に仮支持するためのものである。
【００３０】
上記ケース１４は、後面及び下面が開放された形態のものであり、そして後側の上辺及び左右両側辺に沿って、前記バックプレート４６側の嵌合突条５６に対応した、内向きの嵌合溝６２が連続的に形成されている。この嵌合溝６２は下端が開放形状をなしている。
【００３１】
この嵌合溝６２においても、上下方向中間部位に前記バックプレート４６側の係止突起５８に対応した形状の係止凹部６４が形成されている。
この係止凹部６４は、最終組付状態において係止突起５８を内部に係入させる位置に形成されている。この係止凹部６４は、係止突起５８と協働してケース１４が上方に抜け出すのを防止する作用をなす。
【００３２】
尚、ケース１４の下端面には床面２１に当接してシール作用をなすシール部材６５がその下面外周部に沿って取り付けられている。但しこのシール部材６５は省略することも可能である。
【００３３】
本例の水栓取付構造では、先ずバックプレート４６を床面２１上において壁面４９にビス５２にて固定する。このとき予めバックプレート４６の外周部に沿って取り付けてある弾性パッキン４８を壁面４９に当接させた状態とし、その弾性パッキン４８によって、バックプレート４６と壁面４９との間の隙間を水密にシールすることができる。
【００３４】
従って吐水口４２からの跳ね水や浴室内等の水分が壁面４９を伝って流下した場合にも、その流下水がバックプレート４６の取付穴５０等を通じてケース１４内部に浸入するのが防止される。
【００３５】
さて、このようにしてバックプレート４６を壁面４９に固定したら、次にケース１４を、その内部に水栓本体１２を収容した状態でバックプレート４６に対して組み付ける。
【００３６】
その組付けは、ただ単にケース１４の後側周部に形成した嵌合溝６２の下端開口を、バックプレート４６の嵌合突条５６に嵌め合わせ、その状態でケース１４を下向きにスライド移動させることで簡単に行うことができる。
【００３７】
尚その際、供給管２０の下端部と床面２１から突出した配管端部２２とを接続する作業が必要となる。その際、ケース１４をいきなり最終組付位置、即ちその下端が床面２１に当接する位置まで下向きにスライド移動させてしまうと、供給管２０と配管端部２２との接続作業が行えなくなってしまう。
従って供給管２０と配管端部２２とを接続する際には、ケース１４を床面２１から一定距離浮き上がった位置に一時的に保持しておくことが必要となる。
【００３８】
ここにおいて本例の水栓取付構造では、図４に示しているようにバックプレート４６に設けた係止突起５８がケース１４の下端に引掛かって、ケース１４を一時的に仮支持した状態となるため、供給管２０と配管端部２２とを、ケース１４を一定距離床面２１から浮き上がった状態に保持しつつ接続作業することができる。
【００３９】
而してその接続作業が終わったところでケース１４を更に下向きに押し下げると、最終組付位置において係止突起５８がケース１４側の係止凹部６４内部に係入した状態となり、ここにおいてケース１４がバックプレート４６に対して抜け防止（上方への抜け防止）される。
【００４０】
本例の水栓取付構造の場合、ケース１４がバックプレート４６を介して壁面４９に取り付けられるため、更にはバックプレート４６と壁面４９との間の隙間は弾性パッキン４８にて水密にシールされているため、吐水口４２からの跳ね水や、例えば浴室内部の水分等が壁面４９を伝って流下した場合においても、その流下水がケース１４内部に浸入するのが良好に防止される。
【００４１】
加えてバックプレート４６とケース１４との間も嵌合突条５６と嵌合溝６２との嵌合作用に基づいて水密にシールされているため、それらバックプレート４６とケース１４との間からケース１４内部に水が浸入するのも良好に防止される。
【００４２】
従ってケース１４内部への水の浸入によって、ケース１４内部に水垢等の汚れが溜ったり、その汚れがやがてケース１４内部から外部に滲み出して、水栓周りの美観を損ねるなどの問題を解決することができる。
【００４３】
また本例の水栓取付構造によれば、ケース１４と壁面４９との間にコーキングを施してシールを行う必要がないので、ケース１４の脱着を伴う水栓１０のメンテナンスを簡単に行うことができるし、またそのコーキングに起因する水栓取付部周りの美観の低下を回避することができる。
【００４４】
以上本発明の実施例を詳述したがこれはあくまで一実施例である。
例えば上例ではバックプレート４６の側に嵌合突条５６を、またケース１４の側に嵌合溝６２を形成しているが、これとは逆にバックプレート４６の側に嵌合溝を、またケース１４の側に嵌合突条を設けることも可能である。
【００４５】
更にその場合において、ケース１４の側にケース１４を一時的に仮支持するための係止突起５８を、またバックプレート４６の側に係止凹部６４を形成するといったことも可能であるなど、本発明はその主旨を逸脱しない範囲において種々変更を加えた形態で構成可能である。
【図面の簡単な説明】
【図１】  本発明の一実施例である水栓取付構造の分解斜視図である。
【図２】  同実施例の水栓取付構造の要部平面断面図である。
【図３】  図１における配管接続部の要部詳細図である。
【図４】  同実施例の水栓取付構造における取付手順の要部工程の説明図である。
【符号の説明】
１０  水栓
１２  水栓本体
１４  ケース
２０  供給管
２１  床面（カウンター面）（水栓据置面）
２２  配管端部
４２  吐水口
４６  バックプレート
４８  弾性パッキン
４９  壁面
５０  取付穴
５２  ビス（固定手段）
５６  嵌合突条
５８  係止突起
６２  嵌合溝
６４  係止凹部
【図１】
0003639085.tif 000002
【図２】
0003639085.tif 000003
【図３】
0003639085.tif 000004
【図４】
0003639085.tif 000005